(57)【要約】【課題】エラーを検出した際、そのエラーが使用される構成部材に関連する場合のみ、エラーを報知する。【解決手段】画像形成装置２に関するエラーを検出するエラー検出部８３と、エラーを報知する操作部６０と、エラー検出部８３によりエラーが検出された場合に、印刷ジョブに含まれる印刷条件と、エラーに関連する構成部材を示すエラー情報とに基づいて、検出されたエラーを報知するか否かを判定する判定部７２と、判定手段による判定結果に基づいて、検出されたエラーを操作部６０に報知させる機器制御部７３と、を備える。【選択図】      図２
2013071391.tif 000002
【特許請求の範囲】
【請求項１】
印刷ジョブに基づいて印刷処理を実行する画像形成装置であって、
当該画像形成装置に関するエラーを検出する検出手段と、
前記エラーを報知する報知手段と、
前記検出手段によりエラーが検出された場合に、前記印刷ジョブに含まれる印刷条件と、前記エラーに関連する構成部材を示すエラー情報とに基づいて、前記検出されたエラーを報知するか否かを判定する判定手段と、
前記判定手段による判定結果に基づいて、前記検出されたエラーを前記報知手段に報知させる制御手段と、
を備えたことを特徴とする画像形成装置。
【請求項２】
前記エラーと、前記エラーにより動作不可となる構成部材とを関連づけてエラー情報として記憶するエラー情報記憶手段と、
前記印刷条件と、前記印刷条件により動作する構成部材とを関連づけて動作情報として記憶する動作情報記憶手段と、を更に備え、
前記判定手段は、
前記検出手段によりエラーが検出された場合に、前記エラー情報記憶手段に記憶されたエラー情報と、前記動作情報記憶手段に記憶された動作情報とに基づいて、前記検出手段により検出されたエラーにより動作不可となる構成部材が、前記印刷ジョブに含まれる印刷条件により動作する構成部材に含まれている場合のみ、前記検出されたエラーを報知すると判定する
ことを特徴とする請求項１記載の画像形成装置。
【請求項３】
エラーが発生した構成部材と、このエラーが発生した構成部材に対して代替可能な構成部材とを関連づけて代替情報として記憶する代替情報記憶手段と、
前記判定手段によりエラーを報知すると判定された場合に、前記代替情報に基づいて、前記検出手段により検出されたエラーにより動作不可となる構成部材に対して代替する構成部材があるか否かを判定する代替判定手段と、を更に備え、
前記制御手段は、
前記代替判定手段により代替する構成部材がないと判定された場合、前記検出されたエラーを前記報知手段に報知させ、前記代替判定手段により代替する構成部材があると判定された場合、代替する構成部材により前記印刷処理を継続する
ことを特徴とする請求項２記載の画像形成装置。
【発明の詳細な説明】
【技術分野】
【０００１】
本発明は、エラーを報知する画像形成装置に関する。
【背景技術】
【０００２】
一般的に、画像形成装置においては、コピー、スキャン、ファクシミリ、プリント等の複数の機能を有するものが普及している。
【０００３】
特許文献１には、これらの複数の機能を有し、それら機能のうちのユーザによって選択された選択機能で動作する複合機が記載されている。
【０００４】
具体的には、複数の機能についてのそれぞれの動作状態を管理する動作状態管理部と、それぞれの動作状態に関するワーニング（エラー）情報を表示するためのワーニング表示部と、複数の機能からいずれかの機能を選択機能としてユーザに選択させる選択部と、を備え、動作状態管理部が、選択機能についての動作状態に関するワーニング情報のみをワーニング表示部に表示させる複合機が提案されている。
【先行技術文献】
【特許文献】
【０００５】
【特許文献１】特開２００９−１１８１２２号公報
【発明の概要】
【発明が解決しようとする課題】
【０００６】
しかしながら、特許文献１に記載の複合機のように、同一の機能を用いる場合においても、実行条件によっては、様々な異なる処理を伴う場合がある。
【０００７】
例えば、プリントの機能を行う場合、様々な大きさの印刷用紙を選択して印刷すること、片面／両面を選択して印刷すること、接続された後処理装置により後処理を実行することが可能である場合が多い。ここで、後処理とは、画像形成装置で複写やプリントされて排出される印刷用紙に対して、ステープル処理やパンチング処理、又は裁断処理等の各種処理のことをいう。
【０００８】
そして、このような各種処理内容によって、処理に用いられる構成部材は異なる。例えば、印刷用紙のサイズが設定された場合、設定されたサイズの印刷用紙を給紙するための搬送ローラ（構成部材）は、使用されるが、設定されなかったサイズの印刷用紙を給紙するための搬送ローラ（構成部材）は、使用されることはない。
【０００９】
特許文献１に記載の複合機では、複数の機能からいずれかの機能を選択機能としてユーザに選択させ、選択機能についての動作状態に関するワーニング情報のみをワーニング表示部に表示させるので、使用されることのない構成部材に関するワーニングであっても、ワーニングが表示されてしまうことがあった。
【００１０】
本発明は、上記課題に鑑みてなされたものであり、エラーを検出した際、そのエラーが使用される構成部材に関連する場合のみ、エラーを報知する画像形成装置及び画像形成システムを提供することを目的とする。
【課題を解決するための手段】
【００１１】
上記目的を達成するため、本発明に係る画像形成装置の第１の特徴は、印刷ジョブに基づいて印刷処理を実行する画像形成装置であって、当該画像形成装置に関するエラーを検出する検出手段と、前記エラーを報知する報知手段と、前記検出手段によりエラーが検出された場合に、前記印刷ジョブに含まれる印刷条件と、前記エラーに関連する構成部材を示すエラー情報とに基づいて、前記検出されたエラーを報知するか否かを判定する判定手段と、前記判定手段による判定結果に基づいて、前記検出されたエラーを前記報知手段に報知させる制御手段と、を備えたことにある。
【００１２】
本発明に係る画像形成装置の第２の特徴は、前記エラーと、前記エラーにより動作不可となる構成部材とを関連づけてエラー情報として記憶するエラー情報記憶手段と、前記印刷条件と、前記印刷条件により動作する構成部材とを関連づけて動作情報として記憶する動作情報記憶手段と、を更に備え、前記判定手段は、前記検出手段によりエラーが検出された場合に、前記エラー情報記憶手段に記憶されたエラー情報と、前記動作情報記憶手段に記憶された動作情報とに基づいて、前記検出手段により検出されたエラーにより動作不可となる構成部材が、前記印刷ジョブに含まれる印刷条件により動作する構成部材に含まれている場合のみ、前記検出されたエラーを報知すると判定することにある。
【００１３】
本発明に係る画像形成装置の第３の特徴は、エラーが発生した構成部材と、このエラーが発生した構成部材に対して代替可能な構成部材とを関連づけて代替情報として記憶する代替情報記憶手段と、前記判定手段によりエラーを報知すると判定された場合に、前記代替情報に基づいて、前記検出手段により検出されたエラーにより動作不可となる構成部材に対して代替する構成部材があるか否かを判定する代替判定手段と、を更に備え、前記制御手段は、前記代替判定手段により代替する構成部材がないと判定された場合、前記検出されたエラーを前記報知手段に報知させ、前記代替判定手段により代替する構成部材があると判定された場合、代替する構成部材により前記印刷処理を継続することにある。
【発明の効果】
【００１４】
本発明に係る画像形成装置の第１の特徴によれば、検出されたエラーを報知するか否かを判定する判定手段と、判定手段による判定結果に基づいて、検出されたエラーを報知手段に報知させる制御手段と、を備えたので、エラーを検出した際、そのエラーが使用される構成部材に関連する場合のみ、エラーを報知することができる。
【００１５】
本発明に係る画像形成装置の第２の特徴によれば、エラー情報記憶手段に記憶されたエラー情報と、動作情報記憶手段に記憶された動作情報とに基づいて、検出手段により検出されたエラーにより動作不可となる構成部材が、印刷ジョブに含まれる印刷条件により動作する構成部材に含まれている場合のみ、検出されたエラーを報知すると判定するので、より正確に、検出されたエラーを報知するか否かを判定することができる。
【００１６】
本発明に係る画像形成装置の第３の特徴によれば、代替判定手段により代替する構成部材がないと判定された場合、検出されたエラーを報知手段に報知させ、代替判定手段により代替する構成部材があると判定された場合、代替する構成部材により印刷処理を継続するので、エラーを検出した際、そのエラーに関連する構成部材に関連し、かつその関連する構成部材に代替部材がない場合のみ、エラーを報知することができる。
【図面の簡単な説明】
【００１７】
【図１】本発明の実施例１である画像形成システムの全体構成を示す全体構成図である。
【図２】本発明の実施例１である画像形成システムの機能構成を示す機能構成図である。
【図３】本発明の実施例１である画像形成システムが備えるエラー情報記憶部に記憶されたエラー情報の一例を示した図である。
【図４】本発明の実施例１である画像形成システムが備える動作情報記憶部に記憶された動作情報の一例を示した図である。
【図５】本発明の実施例１である画像形成システムによる処理の処理フローを示したフローチャートである。
【図６】本発明の実施例２である画像形成システムの機能構成を示す機能構成図である。
【図７】本発明の実施例２である画像形成システムが備える代替情報記憶部に記憶された代替情報の一例を示した図である。
【図８】本発明の実施例２である画像形成システムによる処理の処理フローを示したフローチャートである。
【発明を実施するための形態】
【００１８】
本発明の実施の形態について図面を参照して説明する。
【実施例１】
【００１９】
本発明の実施例１では、多数のノズルが形成されたインクジェットヘッドを複数本備え、それぞれのインクジェットヘッドから黒またはカラーのインクを吐出してライン単位で印刷用紙に印刷を行うライン型の画像形成装置と、ステープル処理などの後処理を実行する後処理装置とを備えた画像形成システムを例に挙げて説明する。
【００２０】
＜画像形成システムの構成＞
図１は、本発明の実施例１である画像形成システムの全体構成を示す全体構成図である。
【００２１】
図１に示すように画像形成システム１は、印刷用紙Ｗに印刷する画像形成装置２と、画像形成装置２により印刷された印刷用紙Ｗに対して後処理を実行する後処理装置３とを備えている。
【００２２】
画像形成装置２は、サイド給紙部１０と、第１内部給紙部２０Ａと、第２内部給紙部２０Ｂと、第３内部給紙部２０Ｃと、第４内部給紙部２０Ｄと、印刷部３０と、排紙部４０と、反転部５０と、循環搬送部１５０とを備えている。
【００２３】
サイド給紙部１０は、印刷用紙Ｗが積載される給紙台１１と、この給紙台１１から最上位置の印刷用紙Ｗのみを給紙搬送路ＳＲ上へ搬送させる１次給紙部１２と、この１次給紙部１２によって搬送された印刷用紙Ｗを循環搬送路ＣＲ上へ搬送する２次給紙部１４とを備えている。１次給紙部１２により給紙搬送路ＳＲ上を搬送された印刷用紙Ｗは２次給紙部１４に突き当てられることにより印刷用紙Ｗの先端の位置あわせと斜行修正を行い、その後所定のタイミングで印刷部３０へ向かって循環搬送路ＣＲ上を搬送される。
【００２４】
第１内部給紙部２０Ａは、印刷用紙Ｗが積層される給紙台２１ａと、この給紙台２１ａから最上位置の印刷用紙Ｗのみを給紙系搬送経路ＦＲ上へ搬送させる１次給紙部２２ａとを備え、第２内部給紙部２０Ｂは、印刷用紙Ｗが積層される給紙台２１ｂと、この給紙台２１ｂから最上位置の印刷用紙Ｗのみを給紙系搬送経路ＦＲ上へ搬送させる１次給紙部２２ｂとを備え、第３内部給紙部２０Ｃは、印刷用紙Ｗが積層される給紙台２１ｃと、この給紙台２１ｃから最上位置の印刷用紙Ｗのみを給紙系搬送経路ＦＲ上へ搬送させる１次給紙部２２ｃとを備え、第４内部給紙部２０Ｄは、印刷用紙Ｗが積層される給紙台２１ｄと、この給紙台２１ｄから最上位置の印刷用紙Ｗのみを給紙系搬送経路ＦＲ上へ搬送させる１次給紙部２２ｄとを備えている。
【００２５】
１次給紙部２２ａ，２２ｂ，２２ｃ，２２ｄによりそれぞれ給紙系搬送経路ＦＲ上へ搬送された印刷用紙Ｗは、給紙系搬送経路ＦＲ上に設置された搬送ローラ２３等の複数の搬送ローラにより給紙系搬送経路ＦＲ上を搬送され、２次給紙部１４に突き当てられることにより、印刷用紙Ｗの先端の位置あわせと斜行修正がなされて所定のタイミングで印刷部３０へ向かって循環系搬送路ＣＲ上を搬送される。
【００２６】
第１内部給紙部２０Ａ〜第４内部給紙部２０Ｄは、印刷用紙Ｗが積載される給紙台２１ａ，２１ｂ，２１ｃ，２１ｄと、これらの給紙台２１ａ，２１ｂ，２１ｃ，２１ｄから最上位置の印刷用紙Ｗのみを給紙搬送路ＳＲ上へ搬送させる１次給紙部２２ａ，２２ｂ，２２ｃ，２２ｄとを備えている。
【００２７】
１次給紙部２２ａ，２２ｂ，２２ｃ，２２ｄによりそれぞれ給紙搬送路ＳＲ上へ搬送された印刷用紙Ｗは、給紙搬送路ＳＲ上に設置された搬送ローラ２３等の複数の搬送ローラにより給紙搬送路ＳＲ上を搬送され、２次給紙部１４に突き当てられる。これにより、印刷用紙Ｗに弛みが生じ、この弛みにより印刷用紙Ｗの先端の位置あわせと斜行修正がなされ、その後、所定のタイミングで印刷部３０へ向かって循環搬送路ＣＲ上を搬送される。
【００２８】
このように、２次給紙部１４には、サイド給紙部１０及び内部給紙部２０から印刷用紙Ｗが搬送され、さらに、後述する反転部５０からも印刷用紙Ｗが搬送される。
【００２９】
そのため、搬送方向における２次給紙部１４の手前には、給紙された印刷用紙Ｗの搬送経路と、表面印刷後に装置内を循環搬送され反転部５０にて反転された裏面印刷の用紙が循環して搬送されてくる経路とが合流する合流地点が存在する。この合流地点を基準に、給紙機構側の経路を給紙搬送路ＳＲと称し、画像形成装置２内を印刷用紙Ｗが循環される経路を循環搬送路ＣＲと称している。
【００３０】
循環搬送部１５０は、循環搬送路ＣＲ上に設けられた搬送ローラと、この搬送ローラを回転駆動させる駆動部（図示しない）を有しており、搬送ローラの回転により印刷用紙を循環搬送路ＣＲ上で搬送する。
【００３１】
印刷部３０は、複数の印字ヘッドが組み込まれたヘッドユニット３１と、ヘッドユニット３１の対向面に設けられた環状の搬送ベルト３２とを備えており、２次給紙部１４により給紙された印刷用紙Ｗは、印刷条件により定められる速度で搬送ベルト３２上を搬送されながら、ヘッドユニット３１から吐出されたインクによりライン単位で印刷用紙Ｗに印刷される。
【００３２】
印刷部３０により印刷された印刷用紙Ｗは、循環搬送路ＣＲ上に配置された搬送ローラ等によって筐体内を循環搬送路ＣＲ上を搬送される。循環搬送路ＣＲ上には、循環搬送路ＣＲ上を搬送された印刷用紙Ｗを排紙部４０へ誘導するか、又は循環搬送路ＣＲ上を再循環させるかを切り替える切り替え機構４３が備えられている。
【００３３】
排紙部４０は、画像形成装置２の筐体から突出したトレイ形状をした排紙台４１と、排紙台４１に印刷用紙Ｗを誘導する一対の排紙ローラ４２とを有している。そして、切り替え機構４３により排紙部４０に誘導された印刷用紙Ｗは、排紙ローラ４２により排紙台４１に搬送され、排紙台４１に直前に印刷された印刷面を下にして積載される。
【００３４】
反転部５０は、印刷用紙Ｗを反転させる反転台５１と、循環搬送路ＣＲから反転台５１へ印刷用紙Ｗを搬送し、又は反転台５１から循環搬送路ＣＲ上へ印刷用紙Ｗを搬送する反転ローラ５２を備えている。
【００３５】
切り替え機構４３により反転部５０に誘導された印刷用紙Ｗは、反転ローラ５２により循環搬送路ＣＲから反転台５１に搬送され、所定時間経過後、反転台５１から循環搬送路ＣＲへ搬送されることにより、循環搬送路ＣＲに対して表裏が反転する。そして、表裏が反転された印刷用紙Ｗは、循環搬送路ＣＲ上に設けられた搬送ローラ５３等の複数のローラにより循環搬送路ＣＲ上を搬送され、２次給紙部１４に突き当てられる。これにより、印刷用紙Ｗに弛みが生じ、この弛みにより印刷用紙Ｗの先端の位置あわせと斜行修正がなされ、その後、所定のタイミングで印刷部３０へ向かって循環搬送路ＣＲ上を搬送される。
【００３６】
また、循環搬送路ＣＲには、切替機構４４が設けられており、印刷用紙Ｗの後処理を行う場合は、この切替機構４４が搬送方向を切替ることにより、印刷用紙Ｗが循環搬送路ＣＲから後処理経路ＦＲに誘導され、後処理装置３に供給される。
【００３７】
後処理装置３は、紙折処理部１１０を備えられており、印刷用紙Ｗの紙折を行う場合には、切替機構１１２が搬送方向を切替ることにより、印刷用紙Ｗが紙折処理部１１０に導かれる。
【００３８】
後処理経路ＦＲ上を紙折処理部１１０に誘導された印刷用紙Ｗは、二つ折り、三つ折り、Ｚ折り等の紙折りが行われ、二つ折り又は三つ折りが行われた場合には、紙折トレイ１１１に排紙される。
【００３９】
一方、紙折を行わない場合、印刷用紙Ｗは紙折処理部１１０に誘導されることなく、後処理経路ＦＲ上をパンチ処理部１２０に供給され、また、紙折処理部１１０によりＺ折りが行われた場合においても、印刷用紙Ｗは紙折処理部１１０から後処理経路ＦＲ上を搬送されパンチ処理部１２０に供給される。
【００４０】
パンチ処理部１２０では、印刷用紙Ｗは、印刷ジョブに応じてパンチ穴が穿孔するパンチ処理が実行され、後処理経路ＦＲ上をトップトレイ１０１、スタッカトレイ１０２、又はスタッカトレイ１０３の方向へ搬送される。
【００４１】
トップトレイ１０１方向に搬送された印刷用紙Ｗは、トップトレイ１０１上に積載され、スタッカトレイ１０２方向へ搬送された印刷用紙Ｗは、ステープル処理部１３０により、長辺綴じ又は短辺綴じの位置に応じてステープル処理が実行された後、スタッカトレイ１０２上に積載される。スタッカトレイ１０３方向へ搬送された印刷用紙Ｗは、中綴じ処理部１４０により、中綴じ（中折り）処理が実行された後、スタッカトレイ１０３上に積載される。
【００４２】
＜画像形成システム１の機能構成＞
図２は、本発明の実施例１である画像形成システム１の機能構成を示す機能構成図である。
【００４３】
図２に示すように、画像形成システム１は、ネットワーク９を介して端末１００と接続されている。
【００４４】
端末１００は、ソフトウェアを実行することにより、画像データを生成し、生成した画像データと、両面印刷又は片面印刷の指定や後処理の有無等の印刷条件とを印刷ジョブとしてネットワーク９を介して画像形成システム１へ送信する。ここで、後処理の有無とは、例えば、パンチ処理、ステープル処理、又は中綴じ処理を実行するか否かを示す情報である。
【００４５】
画像形成システム１は、構成部材として、サイド給紙部１０と、第１内部給紙部２０Ａと、第２内部給紙部２０Ｂと、第３内部給紙部２０Ｃと、第４内部給紙部２０Ｄと、印刷部３０と、排紙部４０と、反転部５０と、循環搬送部１５０と、紙折処理部１１０と、パンチ処理部１２０と、ステープル処理部１３０と、中綴じ処理部１４０と、搬送部１５０と、ハードディスク１６０と、操作部６０と、制御部７０と、ネットワークインタフェース部８０と、エラー検出部８３とを備えている。
【００４６】
これらの構成のうち、サイド給紙部１０と、第１内部給紙部２０Ａと、第２内部給紙部２０Ｂと、第３内部給紙部２０Ｃと、第４内部給紙部２０Ｄと、印刷部３０と、排紙部４０と、反転部５０と、搬送部１５０と、紙折処理部１１０と、パンチ処理部１２０と、ステープル処理部１３０と、中綴じ処理部１４０とは、上述したので、説明を省略する。また、それぞれの構成部材を複数まとめて１つの構成部材としてもよい。
【００４７】
操作部６０は、画像形成装置２の上部に設けられ、表示／入力パネル６１と、読み取りや印刷等を開始させるためのスタートキー、読み取りや印刷等を停止させるためのストップキー、印刷枚数等を入力するためのテンキー（いずれも図示せず）等の各種操作キーとを備え、利用者操作に基づく操作信号を制御部７０に供給する。
【００４８】
操作部６０の表示／入力パネル６１は、前面に配置された感圧式あるいは静電式の透明なタッチパネルと、このタッチパネルの裏面に配置された液晶表示パネル（いずれも図示せず）とを有している。利用者は、液晶表示パネルの表示画面を見ながら、タッチパネルの表面を指などで直接触れることで、印刷を開始させるための操作、及び片面印刷又は両面印刷の設定等各種の設定入力操作等を行うことができる。
【００４９】
ネットワークインタフェース部８０は、ネットワークカードなどの通信インタフェースであり、このネットワークインタフェース部８０により画像形成システム１をネットワーク９に接続することによって、ネットワーク９に接続された端末１００から印刷ジョブを受信したり、各種信号を送受信したりする。
【００５０】
エラー検出部８３は、画像形成システム１のエラーを検出する。例えば、エラー検出部８３は、循環搬送路ＣＲ上に配置された紙詰まりを検出する紙詰まりセンサや、搬送ローラを回転駆動するモータがモータロックされたことを検出するセンサ等がある。
【００５１】
ハードディスク１６０は、その記憶領域として、エラー情報記憶部１６１と、動作情報記憶部１６２とを備える。
【００５２】
エラー情報記憶部１６１は、エラーと、エラーにより動作不可となる構成部材とを関連づけてエラー情報として記憶する。
【００５３】
図３は、本発明の実施例１である画像形成システム１が備えるエラー情報記憶部１６１に記憶されたエラー情報の一例を示した図である。
【００５４】
図３に示すように、カラム名“エラー名称”（符号３０１）と、カラム名“構成部材名”（符号３０２）とが関連付けられてエラー情報として記憶されている。
【００５５】
動作情報記憶部１６２は、印刷条件と、印刷条件により動作する構成部材とを関連づけて動作情報として記憶する。
【００５６】
図４は、本発明の実施例１である画像形成システム１が備える動作情報記憶部１６２に記憶された動作情報の一例を示した図である。
【００５７】
図４に示すように、カラム名“印刷条件”（符号４０１）と、カラム名“構成部材名”（符号４０２）とが関連付けられて動作情報として記憶されている。
【００５８】
制御部７０は、画像形成システム１の中枢的な制御を行う。また、制御部７０は、その機能上、受信部７１と、判定部７２と、機器制御部７３とを備える。
【００５９】
受信部７１は、ネットワークインタフェース部８０を介して端末１００から送信された印刷ジョブを受信する。
【００６０】
判定部７２は、エラー検出部８３によりエラーが検出された場合に、印刷ジョブに含まれる印刷条件と、エラーに関連する構成部材を示すエラー情報とに基づいて、検出されたエラーを報知するか否かを判定する。
【００６１】
機器制御部７３は、判定部７２による判定結果に基づいて、検出されたエラーを操作部６０に報知させる。
【００６２】
＜画像形成システム１の作用＞
次に、本発明の実施例１に係る画像形成システム１における作用について説明する。
【００６３】
図５は、本発明の実施例１である画像形成システム１による処理の処理フローを示したフローチャートである。
【００６４】
図５に示すように、判定部７２は、エラー検出部８３によりエラーが検出されたか否かを判定する（ステップＳ１０１）。
【００６５】
ステップＳ１０１において、エラー検出部８３によりエラーが検出されたと判定された場合（ＹＥＳの場合）、判定部７２は、エラーが解除されたか否かを判定する（ステップＳ１０３）。具体的には、判定部７２は、エラー検出部８３によりエラー信号が検出されなくなった場合、エラーが解除されたと判定する。
【００６６】
ステップＳ１０３において、エラーが解除されたと判定された場合（ＹＥＳの場合）、機器制御部７３は、印刷処理を実行する（ステップＳ１０５）。具体的には、受信した印刷ジョブに基づいて、サイド給紙部１０と、第１内部給紙部２０Ａと、第２内部給紙部２０Ｂと、第３内部給紙部２０Ｃと、第４内部給紙部２０Ｄと、印刷部３０と、排紙部４０と、反転部５０と、循環搬送部１５０と、紙折処理部１１０と、パンチ処理部１２０と、ステープル処理部１３０と、中綴じ処理部１４０と、搬送部１５０とを制御することにより印刷を実行し、印刷された印刷用紙Ｗを排紙する。
【００６７】
次に、機器制御部７３は、全頁について印刷処理を実行したか否かを判定し（ステップＳ１０６）、全頁について印刷処理を実行したと判定された場合、終了する。
【００６８】
一方、ステップＳ１０３において、エラーが解除されていないと判定された場合（ＮＯの場合）、判定部７２は、エラー情報記憶部１６１に記憶されたエラー情報から、エラー検出部８３により検出されたエラーに対応する構成部材を抽出する（ステップＳ１０７）。
【００６９】
例えば、図３に示したエラー情報の例において、エラー検出部８３により“エラー２”が検出された場合、判定部７２は、“エラー２”に対応する構成部材として、“第１内部給紙部”を抽出する。また、エラー検出部８３により“エラー３”が検出された場合、判定部７２は、“エラー３”に対応する構成部材として、“循環搬送部”と“反転部”とを抽出する。
【００７０】
次に、判定部７２は、動作情報記憶部１６２に記憶された動作情報から、印刷ジョブに含まれる印刷条件に対応する構成部材を抽出する（ステップＳ１０９）。
【００７１】
例えば、図４に示した動作情報の例において、印刷条件として、“サイド給紙”が設定されている場合、判定部７２は、“サイド給紙”に対応する構成部材として、“サイド給紙部”を抽出する。また、印刷条件として、“両面印刷”が設定されている場合、判定部７２は、“両面印刷”に対応する構成部材として、“印刷部”、“循環搬送部”、“反転部”とを抽出する。
【００７２】
次に、判定部７２は、ステップＳ１０７において抽出された構成部材と、ステップＳ１０９において抽出された構成部材とに基づいて、エラー報知の条件を満たしているか否かを判定する（ステップＳ１１１）。具体的には、判定部７２は、ステップＳ１０７において抽出された構成部材が、ステップＳ１０９において抽出された構成部材に含まれている場合、エラー報知の条件を満たしていると判定する。
【００７３】
例えば、エラー検出部８３により“エラー２”が検出されることにより“第１内部給紙部”が抽出され、印刷条件として、“サイド給紙”が設定されている場合、“サイド給紙部”が抽出されるので、ステップＳ１０７において抽出された構成部材が、ステップＳ１０９において抽出された構成部材に含まれていない。そこで、判定部７２は、エラー報知の条件を満たしていないと判定する。
【００７４】
また、エラー検出部８３により“エラー３”が検出されることにより、“循環搬送部”と“反転部”とが抽出され、印刷条件として、“両面印刷”が設定されている場合、“印刷部”、“循環搬送部”、“反転部”とが抽出されるので、ステップＳ１０７において抽出された構成部材が、ステップＳ１０９において抽出された構成部材に含まれる。そこで、判定部７２は、エラー報知の条件を満たしていると判定する。
【００７５】
ステップＳ１１１において、エラー報知の条件を満たしていると判定された場合（ＹＥＳの場合）、機器制御部７３は、エラー検出部８３により検出されたエラーを操作部６０の表示／入力パネル６１に表示させることによりユーザに報知する（ステップＳ１１３）。このとき、音声で報知するようにしてもよい。
【００７６】
以上のように、本発明の実施例１に係る画像形成システム１によれば、エラー検出部８３によりエラーが検出された場合に、印刷ジョブに含まれる印刷条件と、エラーに関連する構成部材を示すエラー情報とに基づいて、検出されたエラーを報知するか否かを判定し、この判定結果に基づいて、検出されたエラーを報知するので、エラーを検出した際、そのエラーが使用される構成部材に関連する場合のみ、エラーを報知することができる。
【００７７】
なお、本発明の実施例１では、画像形成装置２と、後処理装置３とを備えた画像形成システム１を例に挙げて説明したが、後処理装置３を省略してもよいし、後処理装置３に備えられた構成部材を画像形成装置２が備えるようにしてもよい。
【００７８】
また、本発明の実施例１では、画像形成装置２及び後処理装置３を備え、制御部７０が、画像形成装置２及び後処理装置３を制御する画像形成システムを例に挙げて説明したが、これに限らず、画像形成装置２及び後処理装置３のそれぞれを制御する２つの制御部を備えるようにしてもよい。この場合、画像形成装置２及び後処理装置３に設けられた搬送部１５０は、画像形成装置２及び後処理装置３に備えられた各制御部にて個別に制御されるようにしてもよい。
【実施例２】
【００７９】
本発明の実施例１では、エラーが検出された場合に、印刷ジョブに含まれる印刷条件と、エラーに関連する構成部材を示すエラー情報とに基づいて、検出されたエラーを報知するか否かを判定し、この判定結果に基づいて、検出されたエラーを報知する画像形成システム１を例に挙げて説明した。
【００８０】
本発明の実施例２では、エラーが検出された場合に、代替する構成部材があるか否かを判定し、代替する構成部材がないと判定された場合、検出されたエラーを報知し、代替する構成部材があると判定された場合、代替する構成部材により印刷処理を継続する画像形成システム１を例に挙げて説明する。
【００８１】
図６は、本発明の実施例２である画像形成システム１Ａの機能構成を示す機能構成図である。
【００８２】
図６に示すように、画像形成システム１Ａは、ネットワーク９を介して端末１００と接続されており、サイド給紙部１０と、第１内部給紙部２０Ａと、第２内部給紙部２０Ｂと、第３内部給紙部２０Ｃと、第４内部給紙部２０Ｄと、印刷部３０と、排紙部４０と、反転部５０と、循環搬送部１５０と、紙折処理部１１０と、パンチ処理部１２０と、ステープル処理部１３０と、中綴じ処理部１４０と、循環搬送部１５０と、ハードディスク１６０Ａと、操作部６０と、制御部７０Ａと、ネットワークインタフェース部８０と、エラー検出部８３とを備えている。
【００８３】
これらの構成のうち、サイド給紙部１０と、第１内部給紙部２０Ａと、第２内部給紙部２０Ｂと、第３内部給紙部２０Ｃと、第４内部給紙部２０Ｄと、印刷部３０と、排紙部４０と、反転部５０と、循環搬送部１５０と、紙折処理部１１０と、パンチ処理部１２０と、ステープル処理部１３０と、中綴じ処理部１４０と、循環搬送部１５０と、操作部６０と、ネットワークインタフェース部８０と、エラー検出部８３とについては、本発明の実施例１である画像形成システム１が備えるそれぞれ同一符号が付された構成と同一であるので、説明を省略する。
【００８４】
ハードディスク１６０Ａは、その記憶領域として、エラー情報記憶部１６１と、動作情報記憶部１６２と、代替情報記憶部１６３とを備える。
【００８５】
代替情報記憶部１６３は、エラーが発生した構成部材と、このエラーが発生した構成部材に対して代替可能な構成部材とを関連づけて代替情報として記憶する。
【００８６】
図７は、本発明の実施例２である画像形成システム１Ａが備える代替情報記憶部１６３に記憶された代替情報の一例を示した図である。
【００８７】
図７に示すように、カラム名“エラー発生構成部材名”（符号５０１）と、カラム名“代替構成部材名”（符号５０２）とが関連付けられて代替情報として記憶されている。
【００８８】
制御部７０Ａは、画像形成システム１Ａの中枢的な制御を行う。また、制御部７０Ａは、その機能上、受信部７１と、判定部７２と、機器制御部７３Ａと、代替判定部７４とを備える。このうち、受信部７１と、判定部７２とについては、本発明の実施例１である画像形成システム１が備える受信部７１と、判定部７２と、機器制御部７３と同一構成であるので、説明を省略する。
【００８９】
代替判定部７４は、判定部７２によりエラーを報知すると判定された場合に、代替情報に基づいて、エラー検出部８３により検出されたエラーにより動作不可となる構成部材に対して代替する構成部材があるか否かを判定する。
【００９０】
機器制御部７３Ａは、代替判定部７４により代替する構成部材がないと判定された場合、エラー検出部８３により検出されたエラーを操作部６０の表示／入力パネル６１に表示させることによりユーザに報知する。また、機器制御部７３Ａは、代替判定部７４により代替する構成部材があると判定された場合、代替する構成部材により印刷処理を継続する。
【００９１】
＜画像形成システム１Ａの作用＞
次に、本発明の実施例２に係る画像形成システム１Ａにおける作用について説明する。
【００９２】
図８は、本発明の実施例２である画像形成システム１Ａによる処理の処理フローを示したフローチャートである。なお、図８に示す各処理ステップのうち、図５に示したフローチャートにおける処理ステップと同一ステップ番号が付された処理は、それぞれ同一処理であるので、説明を省略する。
【００９３】
ステップＳ１１１において、エラー報知の条件を満たしていると判定された場合（ＹＥＳの場合）、代替判定部７４は、代替情報記憶部１６３に記憶された代替情報から、ステップＳ１０７において抽出された構成部材をエラー発生構成部材として、このエラー発生構成部材に対応する代替構成部品かあるか否かを判定する（ステップＳ２０１）。例えば、エラー発生構成部材が、“第２内部給紙部”である場合、“第２内部給紙部”は、“サイド給紙部”に対応づけられているので、代替判定部７４は、代替構成部品かあると判定する。
【００９４】
ステップＳ２０１において、エラー発生構成部材に対応する代替構成部品かあると判定された場合（ＹＥＳの場合）、ステップＳ１０５において、機器制御部７３は、その代替部材を用い、印刷処理を実行する。
【００９５】
一方、ステップＳ２０１において、エラー発生構成部材に対応する代替構成部品かないと判定された場合（ＮＯの場合）、機器制御部７３は、エラー検出部８３により検出されたエラーを操作部６０の表示／入力パネル６１に表示させることによりユーザに報知する（ステップＳ１１３）。
【００９６】
以上のように、本発明の実施例２である画像形成システム１Ａによれば、エラーが検出された場合に、代替する構成部材があるか否かを判定し、代替する構成部材がないと判定された場合、検出されたエラーを報知し、代替する構成部材があると判定された場合、代替する構成部材により印刷処理を継続するので、エラーを検出した際、そのエラーに関連する構成部材に関連し、かつその関連する構成部材に代替部材がない場合のみ、エラーを報知することができる。
【００９７】
なお、代替判定部７４による、エラー発生構成部材に対応する代替構成部材があるか否かの判定は、印刷ジョブに含まれる判定の有無を示す情報に基づいて、設定するようにしてもよい。
【００９８】
また、本発明の実施例２では、多数のノズルが形成されたインクジェットヘッドを複数本備え、それぞれのインクジェットヘッドから黒またはカラーのインクを吐出してライン単位で印刷用紙に印刷を行うライン型の画像形成装置を備えた画像形成システムを例に挙げて説明したが、これに限らない。
【００９９】
例えば、画像形成システムは、ブラック及びマゼンダの２色のインクジェットヘッドを有し、このインクジェットヘッドからインクを吐出して印刷する画像形成装置を備える構成としてもよい。
【０１００】
具体的には、代替情報記憶部１６３の代替情報として、エラー発生構成部材名５０１に“インクジェットヘッドＭ”と、代替構成部材名５０２に“インクジェットヘッドＫ”とが関連づけられて記憶されており、エラー報知の条件を満たしていると判定された場合、代替判定部７４は、代替情報記憶部１６３に記憶された代替情報から、抽出された構成部材をエラー発生構成部材として、このエラー発生構成部材に対応する代替構成部品かあるか否かを判定する。例えば、エラー発生構成部材が、“インクジェットヘッドＭ”である場合、“インクジェットヘッドＭ”は、“インクジェットヘッドＫ”に対応づけられているので、代替判定部７４は、代替構成部材があると判定する。
【０１０１】
そして、機器制御部７３は、インクジェットヘッドＭの替わりに、インクジェットヘッドＫを用い、印刷処理を実行する。
【０１０２】
これにより、インクジェットヘッドＭのインクの残量がゼロになった場合においても、印刷処理を停止することなく、インクジェットヘッドＫのインクを用いて、印刷を継続することができる。
【０１０３】
また、本発明の実施例１，２の画像形成システム１，１Ａが備える画像形成装置は、ライン単位で印刷を行うインクジェット方式のライン型のプリンタを例に挙げて説明したが、これに限らず、シリアルインクジェット方式、レーザ方式、又は孔版印刷方式等の画像形成装置であってもよい。
【符号の説明】
【０１０４】
１，１Ａ…画像形成システム
２…画像形成装置
３…後処理装置
９…ネットワーク
１０…サイド給紙部
２０…内部給紙部
２０Ａ…第１内部給紙部
２０Ｂ…第２内部給紙部
２０Ｃ…第３内部給紙部
２０Ｄ…第４内部給紙部
３０…印刷部
４０…排紙部
５０…反転部
６０…操作部
６１…表示／入力パネル
７０，７０Ａ…制御部
７１…受信部
７２…判定部
７３，７３Ａ…機器制御部
７４…代替判定部
８０…ネットワークインタフェース部
８３…エラー検出部
１００…端末
１１０…紙折処理部
１２０…パンチ処理部
１３０…ステープル処理部
１４０…処理部
１５０…循環搬送部
１５０…搬送部
１６０，１６Ａ…ハードディスク
１６１…エラー情報記憶部
１６２…動作情報記憶部
１６３…代替情報記憶部
【図１】
2013071391.tif 000003
【図２】
2013071391.tif 000004
【図３】
2013071391.tif 000005
【図４】
2013071391.tif 000006
【図５】
2013071391.tif 000007
【図６】
2013071391.tif 000008
【図７】
2013071391.tif 000009
【図８】
2013071391.tif 000010